(57)【要約】【課題】インタラクティブなインターフェイスを備えた広告表示システムを提供する。【解決手段】店舗の内外を区画するために、人通りのある街路又は通路に面して設けられた仕切り部材と、前記仕切り部材に設けられ、投影される画像を受けて該画像を店舗外側の街路又は通路から視認可能に透過的に表示する表示手段と、前記表示手段に画像を投影するための画像投影装置と、前記画像投影装置によって投影されるべき画像の画像信号を生成し、前記画像投影装置に供給するための画像制御装置と、前記表示手段に投影されている画像に対して店舗外側から所定の操作を行うべく、前記仕切り部材に設けられて前記画像制御装置への制御入力を生成して送出するための入力手段とを備え、利用者が前記入力手段を操作することにより生成された制御信号が送出されて前記画像制御装置に入力され、当該制御信号に応じて生成された画像信号が前記画像投影装置に入力され、それに基づいて画像が前記表示手段に投影される、画像表示システム。【選択図】図１
2008224894.tif 000002
【特許請求の範囲】
【請求項１】
店舗の内外を区画するために、人通りのある街路又は通路に面して設けられた仕切り部材と、
前記仕切り部材に設けられ、投影される画像を受けて該画像を店舗外側の街路又は通路から視認可能に透過的に表示する表示手段と、
前記表示手段に画像を投影するための画像投影装置と、
前記画像投影装置によって投影されるべき画像の画像信号を生成し、前記画像投影装置に供給するための画像制御装置と、
前記表示手段に投影されている画像に対して店舗外側から所定の操作を行うべく、前記仕切り部材に設けられて前記画像制御装置への制御入力を生成して送出するための入力手段と、
を備え、
利用者が前記入力手段を操作することにより生成された制御信号が送出されて前記画像制御装置に入力され、当該制御信号に応じて生成された画像信号が前記画像投影装置に入力され、それに基づいて画像が前記表示手段に投影される、画像表示システム。
【請求項２】
前記仕切り部材が合わせガラスからなるガラス材を備え、その合わせガラスの中間膜に画像が投影されるべき半透明乳白色加工領域が設けられている、請求項１に記載の画像表示システム。
【請求項３】
前記仕切り部材が発熱機能を有するガラス板材を備えている、請求項１に記載の画像表示システム。
【請求項４】
前記画像制御装置に接続された印刷手段を、前記店舗内側の前記仕切部材に近接した位置にさらに備え、
該印刷手段は、前記入力手段からの制御信号に基づいて前記画像制御装置で生成され該画像制御装置から供給される印刷信号に従って印刷処理を行い、
前記仕切部材には、その印刷物を店舗外側から取得可能にする収納箱が設けられており、利用者は前記仕切り部材越しに前記印刷手段に印刷処理を実行させて印刷物を受け取ることができる請求項１に記載の画像表示システム。
【請求項５】
前記収納箱が、その収納箱内部が濡れないように液密に閉止することができる扉を備えている請求項３に記載の画像表示システム。
【請求項６】
前記画像投影装置が、後方投影型のビデオプロジェクタである、請求項１に記載の画像表示システム。
【請求項７】
前記入力手段が、前記利用者の指し示す前記表示手段上の任意の位置を検知する光反射型のセンサ装置を備えている、請求項１に記載の画像表示システム。
【請求項８】
前記入力手段が、前記利用者の指し示す前記表示手段上の位置を検知する光遮断型のセンサ装置を備えている、請求項１に記載の画像表示システム。
【請求項９】
前記画像制御装置が通信ネットワークと接続されており、他の情報制御装置との情報の授受が可能な構成とされている、請求項１に記載の画像表示システム。
【発明の詳細な説明】
【技術分野】
【０００１】
この発明は画像表示システムに係わり、特に、商品等の諸情報を店舗内外を区画する仕切部材に設けた表示装置を介して店舗外の通路や街路側に大画面で表示し得るとともに、店舗外側に設けた入力手段によって表示画像についての操作等表示システムとのインタラクティブな情報授受をすることができるインタラクティブ画像表示システムに関する。
【背景技術】
【０００２】
街路やショッピングセンター、アーケードなどに面した店舗では、さまざまな手段で販売製品や提供サービスの広告が行われてきた。現在でも広く行われているのは、街路等に面した店舗の窓ガラス面などに製品やサービスを描いた大判のポスターを掲示するものである。しかし、ポスターやちらしを貼っただけでは、通行人の注意を惹くのには十分でないことから、大型のＣＲＴモニタ、液晶ディスプレイなどを店頭に設置して静止画や動画の広告映像を表示させて消費者への訴求効果を高める工夫も広くなされている。さらに、特許文献１に開示されているようなシステムも提案されている。これは、店内に設置したビデオプロジェクタから同じく店内側に設けた投射スクリーンに向けて広告映像を投射表示することにより、通行人に店内から広告映像を見せることができるようになっている。
【特許文献１】特開２００２−１４９１０２号公報
【発明の開示】
【発明が解決しようとする課題】
【０００３】
しかしながら、特許文献１が提案しているシステムは、簡便に大画面の広告映像を店内から通行人に向けて発することができる一方で、その広告映像を見た通行人からシステムに対して何らかの働きかけを行うことはできない。いわば従来どおりの広告と同様に、店舗側から通行人に向けて情報が一方通行になっている。
【０００４】
本発明は上記の問題点に鑑みてなされたものであり、その主要な目的の一つは、店舗内から大画面の広告表示を簡易に提供することができるとともに、これに接した通行人、消費者が、表示された情報に対して店舗内に立ち入ることなく簡単に操作を行うことができる、いわばインタラクティブなインターフェイスを備えた画像表示システムを提供することである。
【課題を解決するための手段】
【０００５】
上記の、そして他の問題点を解決するための、この発明の一つの態様は、店舗の内外を区画するために、人通りのある街路又は通路に面して設けられた仕切り部材と、前記仕切り部材に設けられ、投影される画像を受けて該画像を店舗外側の街路又は通路から視認可能に透過的に表示する表示手段と、前記表示手段に画像を投影するための画像投影装置と、前記画像投影装置によって投影されるべき画像の画像信号を生成し、前記画像投影装置に供給するための画像制御装置と、前記表示手段に投影されている画像に対して店舗外側から所定の操作を行うべく、前記仕切り部材に設けられて前記画像制御装置への制御入力を生成して送出するための入力手段とを備え、利用者が前記入力手段を操作することにより生成された制御信号が送出されて前記画像制御装置に入力され、当該制御信号に応じて生成された画像信号が前記画像投影装置に入力され、それに基づいて画像が前記表示手段に投影される、画像表示システムである。
【０００６】
上記態様のシステムについては、前記仕切り部材として合わせガラスからなるガラス材を用い、その合わせガラスの中間膜に画像が投影されるべき半透明乳白色加工領域を設けることができる。また、前記仕切り部材として発熱機能を有するガラス板材を設けることができる。
【０００７】
また、前記画像制御装置に接続された印刷手段を、前記店舗内側の前記仕切部材に近接した位置にさらに備え、該印刷手段は、前記入力手段からの制御信号に基づいて前記画像制御装置で生成され該画像制御装置から供給される印刷信号に従って印刷処理を行い、前記仕切部材には、その印刷物を店舗外側から取得可能な収納箱が設けられており、利用者は前記仕切り部材越しに前記印刷手段に印刷処理を実行させて印刷物を受け取ることができるように構成することができる。前記収納箱に、その収納箱内部が濡れないように液密に閉止することができる扉を設けてもよい。
【０００８】
前記画像投影装置には、後方投影型のビデオプロジェクタを採用することができる。
【０００９】
前記入力手段としては、前記利用者の指し示す前記表示装置上の任意の位置を検知する光反射型のセンサ装置、または前記利用者の指し示す前記表示装置上の位置を検知する光遮断型のセンサ装置を採用することができる。
【００１０】
さらに、前記した本発明の一つの態様に係る画像表示システムは、通信ネットワークに接続し、他の情報制御装置との情報の授受が可能な構成とすることもできる。
【発明を実施するための最良の形態】
【００１１】
以下、本発明の実施形態につき、添付図面を参照しつつ説明する。  
《第１実施形態のシステム》
［主要な構成］
図１〜図４に、本発明の一実施形態に係るインタラクティブ画像表示システムを示す。図１は、システムの概略構成を示す模式図であり、店舗Ｓを、その間口方向と直交する方向で断面して見た縦断面図である。この店舗Ｓは、天井Cと仕切り部材Ｗとによって区画され、仕切り部材Ｗによって街路、あるいはショッピングセンター等の屋内通路と隔てられている。仕切り部材Ｗの一部には適宜な寸法のガラス材１３４が設けられており、店舗Ｓ内、街路あるいは通路側からそれぞれ相互に視認することができるようになっている。
【００１２】
店舗Ｓには、インタラクティブ画像表示システム１００が設けられており、主として画像制御装置１１０、画像投影装置１２０、表示装置１３０（表示手段）を備えて構成されている。本実施形態のシステム１００には、プリンタ１５０（印刷手段）及び収納箱１６０が含まれているが、これらは本発明に必須ではなく所望のシステム構成に応じて選択的に採用すればよい。
【００１３】
画像制御装置１１０は本システム１００の主要な構成要素の一つであって、後述する画像投影装置１２０、表示装置１３０、入力装置１４０等と接続されて、それらとの間のデータ授受及びデータ処理を制御するためのものである。より具体的には例えば、ＷｉｎｄｏｗｓＯＳ（マイクロソフト社）によって動作するパーソナルコンピュータ（以下「ＰＣ」という。）とすることができる。もちろん、これに限らず、ＭａｃＯＳ、Ｌｉｎｕｘ等の他の基本ソフトで動作するコンピュータを含めたあらゆる種類のコンピュータを採用することができる。したがって、画像制御装置１１０のより詳細なハードウェア構成については当業者にとって公知であるからここではこれ以上説明しない。画像制御装置１１０内で動作する画像制御用アプリケーションソフトウェアについては本システム１００の機能に関連して後述する。
【００１４】
画像制御装置１１０は、システム１００の構成変更、保守等のための入力インターフェイス（マウス、キーボード等。図示を省略する。）と、モニタ１１２を備える。画像制御装置１１０はまたさらに、インターネット等の通信ネットワークに接続してこれを介して通信できるようにしてもよい。例えば、インターネットを介して広告主である企業等のサーバコンピュータ（情報制御装置）とデータ授受を可能として、広告出稿データの受領、広告費用の請求等を行うことができる。
【００１５】
前記画像制御装置１１０には、例えばリア投影型であるビデオプロジェクタ１２０として構成される画像投影装置が接続される。画像制御装置１１０とビデオプロジェクタ１２０との間は、公知の映像信号線ＶＤによって接続され、ビデオプロジェクタ１２０への映像データの入力と制御信号の授受に用いられる。映像信号線ＶＤは通常の有線でよいが、適当な無線データリンクによって接続すれば配線や設置場所の制約がなくより好ましい。プロジェクタ１２０から投射された映像は、ガラス材１３４の一部に設けられた表示装置１３０（表示手段）の表示面１３２に投影されて、店舗Ｓの外の街路や通路から通行人が見ることができる。表示面１３２は、例えば次のように構成される。すなわち、特開２００５−１８９７８３号公報に開示されているように、仕切り部材であるガラス材１３４として合わせガラスを用い、その合わせガラスに挟み込まれて設けられている中間膜（図示を省略する）のうち、少なくとも前記表示面１３２に対応する部分を半透明の乳白色に加工しておく。これにより、ビデオプロジェクタ１２０から投影される画像をこの表示面１３２に映し出すことができる。なお、通常はこのようにガラス材１３４のあらかじめ定めた一部のみに半透明乳白色の加工面を設けておけばよいが、本システムを設置する店舗側のニーズに応じて、例えば中間膜の全体を半透明乳白色加工しておくと、ガラス材１３４全体を表示面１３２として利用することができる構成となる。この場合に前記ビデオプロジェクタ１２０の画像投影方向を変えられるように、プロジェクタ１２０を三脚の雲台のような適宜の取付具を介して天井Ｃに設置しておけば、必要に応じて画像の表示位置を変えることができ、よりいっそう通行人等の興味を惹くことができる。例えば前記取り付け具をモータ等で角度可変とし、そのモータの駆動を画像制御装置１１０のアプリケーションソフトウェアからの制御信号によって、投影画像と関連付けて自動制御する構成とすれば、投影画像の変化と関連付けて画像の表示位置を逐次変化させることができるので、通行人等への訴求効果がより高まることが期待できる。
【００１６】
また、前記ガラス材１３４を構成している合わせガラスの一方の板ガラスとして導電膜付ガラス（例えば特開２００６−１６９０８８号公報参照）を採用することができ、特に仕切り部材としてのガラス材１３４が街路に直接面している場合には、寒冷期の結露を効果的に防ぐことができて有利である。
【００１７】
表示装置１３０の一部を構成するガラス材１３４には、入力装置１４０（入力手段）が設けられている。この入力装置１４０は、ガラス材１３４の店舗外側に取り付けられる操作ペン１４２と、センサ部１４４とを主に備えて構成されている。この入力装置１４０の詳細を、図３に模式的断面図として示す。センサ部１４４は、表示装置１３０の表示面１３２の上縁上方に略水平に取り付けられたセンサ枠１４４ａを有し、その内部に位置検出用の赤外線ビームＩＲを射出する発光部とその反射光を受光する受光部とを備えたセンサ１４４ｂが設けられている。センサ１４４ｂは、センサ枠１４４ａに取り付けられた赤外線透過保護ガラス１４４ｃによって保護されており、街路に面して設置された場合の外部環境の影響による劣化を軽減するようにしている。
【００１８】
一方、表示装置１３０の表示面１３２近傍には、適宜の固定具１４３に対していわゆるカール線１４３ａ等によって連結された操作ペン１４２が設けられ、通行人等のいたずらによる持ち去りを防止しつつ表示面１３２全面のどこでもタッチして投影画像に対する操作を行うことができるようになっている。この操作ペン１４２の先端部は赤外線を反射するように加工されており、公知の三点測量の原理によって表示面１３２上における操作ペン１４２の位置座標情報を検出することができるようになっている。センサ１４４が取得した位置情報データは、本インタラクティブ画像表示システム１００における画面上での選択操作用情報として、図示を省略する信号線によって画像制御装置１１０に入力され処理される。このような入力装置としては、いわゆるタッチセンサと称する位置入力デバイスを広く用いることができる。これにより、街路等を通行する人が、店舗内に立ち入らなくても店舗外から表示装置１３０に表示されている投影画像に操作を行うことができる。したがって、店舗の営業時間以外であっても、本表示システムを稼動させておけば広告表示等の投影だけでなくこれに対して通行人が所定の操作を行うことができる（店舗内に設置した前記画像制御装置１１０の入力インターフェイスを用いて操作することができるのはもちろんである。）。
【００１９】
本実施形態のインタラクティブ画像表示装置１００には、プリンタ１５０（印刷手段）が設けられている。プリンタ１５０は、例えば画像制御装置１１０を構成するコンピュータのプリンタポートやＵＳＢポートに印刷信号線ＰＲＴを介して接続される。プリンタ１５０としては、汎用のカラーレーザープリンタ、インクジェットプリンタ等を適宜採用することができる。本システム１００の場合、前述のように、表示装置１３０への投影画像に対する操作は、店舗外から行うことができるように構成される。したがって、本実施形態ではプリンタ１５０をガラス材１３４に近づけて置き台１５２上に載置し、プリンタ１５０が排出した印刷物が、ガラス材１３４に設けたスリット状の開口部１３４ａを通じてガラス材１３４の外へ排出されるようになっている。印刷内容は、通常表示面１３２に投影されている画像のハードコピーであるが、画像制御装置１１０に実装するアプリケーションソフトウェアによって他の印刷制御を行うことは自由である。
【００２０】
印刷操作をした利用者の便宜のために、ガラス材１３４の外表面には、開口部１３４ａから出てくる印刷物を受け止めるのに適した位置に、収納箱１６０が設けられる。収納箱１６０の上部開口を覆うように、ひさし状の雨よけ１６２がガラス材１３４に取り付けられている。収納箱１６０、雨よけ１６２ともに、設置環境に応じた適宜の材料をもって構成することができ、いかなる形状寸法とすることも自由である。
【００２１】
図５に、上記収納箱１６０の第１変形例を示す。この変形例では、収納箱１６０の上部開口にふた１６０ａが設けられており、可撓性シート１６０ｃを介してガラス材１３４の外側表面に取り付けられていて、収納箱１６０の上部開口を開閉可能に閉止できるようになっている。収納箱１６０の上部開口周縁にはパッキン１６０ｂが設けられていて、ふた１６０ａを閉めたときにその下側面に密接して収納箱１６０内を封止するように構成されている。このように構成することで、収納箱を街路に面して屋外に設置する場合でも、常時は収納箱１６０の上部開口がふた１６０ａによって閉止されるから、収納箱１６０の内部に雨水などが入って印刷物を汚損することがない。なお、可撓性シート１６０ｃに代えて、蝶番等の他の部品により取り付ける構成をとることもできる。
【００２２】
図６に、収納箱１６０の第２変形例を示す。この変形例では、収納箱１６０は店舗内部に設置されており、プリンタ１５０の置き台１５２とガラス材１３４との間に架け渡すように配置されており、プリンタ１５０が排出した印刷物は、収納箱１６０の筐体の一端に設けられた第１の開口部を通り、他端に設けられた第２の開口部から取り出せるようになっている。第２の開口部は、ガラス材１３４に設けられた開口部にはめ込まれたパッキン１３４ｂの一端周縁部と密接するようになっている。パッキン１３４ｂにはさらに、つまみ１６０ｄ付のふた１６０ａが適宜の取り付け手段によって設置されていて、常時は収納箱１６０の内部に雨水などが入らないように封止している。
【００２３】
［主要な作用］
次に、本発明の第１実施形態によるインタラクティブ画像表示システム１００の作用について、さらに図７を参照して説明する。図７は、本システム１００を不動産仲介店舗に適用した場合の表示面１３２の画像投影状況の一例を示す模式図である。これはシステムの基本操作画面（以下「初期画面」という。）であり、不動産分譲・賃貸物件画像ＩＭＧ１〜ＩＭＧ６が投影されている。表示面１３２の上縁部に沿っては、人目を惹きやすいように、おすすめ物件などの集客に資する内容のバナー広告を表示してもよい。表示面１３２の下縁部に沿ってはＰＣのタスクバーに相当する操作ゾーンが投影されており、この例では「印刷」、「選択」、「次へ」、「戻る」の４つの操作ボタン領域ＯＢＪ１〜ＯＢＪ４が設定されている。これらの画像や操作ボタン領域は破線で示すように表示面１３２上で仮想的に区画されており、前記した入力装置１４０の操作ペン１４２により利用者が指示した情報がセンサ部１４４からの位置情報として画像制御装置１１０に送られる。本実施形態では、画像制御装置１１０に実装されたアプリケーションソフトウェアにより、例えば以下のように利用者の操作が処理される。
【００２４】
（１）「物件画像１」ＩＭＧ１をタッチ→次に「選択」ＯＢＪ２をタッチ⇒物件１の詳細情報をタスクバー上方に表示されている画像全体に表示
（２）「印刷」ＯＢＪ１をタッチ⇒タスクバー上方に表示されている画像全体を印刷出力
（３）「次へ」ＯＢＪ３をタッチ⇒タスクバー上方の表示画像を次画面に切り替え
（４）「戻る」ＯＢＪ４をタッチ⇒タスクバー上方の表示画像を前画面に切り替え
【００２５】
上記の操作処理は本実施形態における一例であり、表示する画像や操作の処理手順は所望のシステム条件に応じて画像制御装置１１０に実装する制御ソフトウェアにより種々実現することができる。また、表示する画像データは、画像制御装置１１０内のハードディスク等適宜の記憶媒体に格納しておくことができ、装置１１０にＳＤカード等の外部記憶媒体とのインターフェイスを装備しておけば、それらの外部記憶媒体を介して表示する広告画像データや制御ソフトウェアプログラムの更新を実行することができる。
【００２６】
さらに、画像制御装置１１０を、インターネット等の通信ネットワークを介して広告代理店のサーバコンピュータやチェーン店のサーバコンピュータといった他の情報制御装置とデータ授受可能に構成することにより、オンラインで表示広告画像のデータを更新したり、他のチェーン店との間で表示広告画像を共有したりすることができる。
【００２７】
《第２実施形態のシステム》
次に、本発明のインタラクティブ画像表示システムにつき、図８〜図１０を参照しつつ第２実施形態に即して説明する。これは、飲食店の店舗Ｓに本発明の第２実施形態に係るインタラクティブ画像表示システムを適用したものである。基本的な構成は第１実施形態と同様であり、同一の構成要素には同一の符号を付して図示してあるから、重複する説明は省いて第１実施形態と異なる点のみ以下に詳述する。
【００２８】
［主要な構成］
この実施形態では、入力装置１４０の構成と印刷手段であるプリンタ１５０が省かれている点が第１実施形態と異なる。入力装置１４０としては、赤外線検知方式を使用していることは同等であるが、本実施形態では反射型ではなく遮断型の装置を採用している。表示装置１３０の表示面１３２の上縁に沿って、センサ枠１４４ａを備えたセンサ部１４４が略水平に設けられる。赤外線ＩＲの出射、受光を行うセンサ１４４ｂが保護ガラス１４４ｃによって保護されつつセンサ枠１４４ａ内に取り付けられている。一方、表示面１３２の左右及び下縁部には、それぞれ中空棒状の反射枠１４６が各縁辺に沿って配設されている。各反射枠１４６の表示面１３２内方、つまりセンサ枠１４４ａに面する表面には反射テープ１４６ａが貼り付けられていて、センサ１４４ｂから出射された赤外線ＩＲを同じくセンサ１４４ｂの受光部に向けて反射する。いま人の手指など赤外線を遮る物体を表示面１３２上に置くと、その位置を通ってセンサ１４４ｂへ帰還するはずの反射光が欠落する。この反射光の欠落情報から公知の三点測量の原理によって表示面１３２上における遮光物体の位置座標情報を検出することができるようになっている。センサ１４４が取得した位置情報データは、本インタラクティブ画像表示システム１００における画面上での選択操作用情報として、図示を省略する信号線によって画像制御装置１１０に入力され処理される。このような入力装置としては、例えば特開平２００５−４７２９号公報に開示されている位置検出装置を採用することができ、またそれに限らずいわゆるタッチセンサと称する位置入力デバイスを広く用いることができる。
【００２９】
［主要な作用］
次に、本発明の第２実施形態によるインタラクティブ画像表示システム１００の作用について、さらに図１１を参照して説明する。図１１は、本システム１００をファミリーレストラン等の飲食店店舗に適用した場合の表示面１３２の画像投影状況の一例を示す模式図である。これは第１実施形態と同様にシステムの初期画面であり、メニューの料理画像ＩＭＧ１〜ＩＭＧ６が投影されている。料理画像には、その料理の写真とともに、カロリーや使用原材料（アレルギー対策等）を表示しておけば利用者にとって親切である。表示面１３２の上縁部に沿っては、人目を惹きやすいように、期間限定メニューやお得なセットなどの集客に資する内容のバナー広告画像ＢＮを表示している。一方表示面１３２の下縁部に沿っては第１実施形態と同様にＰＣのタスクバーに相当する操作ゾーンが投影されており、この例では「注文」、「選択」、「次へ」、「戻る」の４つの操作ボタン領域ＯＢＪ１〜ＯＢＪ４が設定されている。これらの画像や操作ボタン領域は破線で示すように表示面１３２上で仮想的に区画されており、前記した入力装置１４０に対して利用者が手指で指示した情報がセンサ部１４４からの位置情報として画像制御装置に送られる。本実施形態では、画像制御装置１１０に実装されたアプリケーションソフトウェアにより、例えば以下のように利用者の操作が処理される。
【００３０】
（１）「料理画像１」ＩＭＧ１をタッチ→次に「選択」ＯＢＪ２タッチ⇒料理１の詳細情報をＩＭＧ１に表示
（２）「料理画像１」ＩＭＧ１をタッチ→次に「注文」ＯＢＪ１タッチ⇒本画像制御装置１１０とネットワーク接続された注文管理システムを通じて厨房に料理１の注文情報を送信
（３）「次へ」ＯＢＪ３をタッチ⇒タスクバー上方の表示画像を次画面に切り替え
（４）「戻る」ＯＢＪ４をタッチ⇒タスクバー上方の表示画像を前画面に切り替え
【００３１】
なお、このインタラクティブ画像表示システムは店舗外から興味を持った通行人が自由に操作できることを一つの特徴としているから、上記料理の注文操作についてはいたずらで操作されることが懸念される。この場合、本システムから入力される注文システムは注文管理システム内で仮注文待ち行列に順次格納しておき、実際にその入力を行った者が店舗内に入って従業員に注文確認を行った時点で仮注文から正式注文にステータスを変更して処理するといった確認処理を設ける必要があると考えられる。
【００３２】
また第１の実施形態でのようにプリンタ等の印刷手段を設置し、入店前にこのシステムから注文した利用客に対してその注文内容等を印刷した予約票を生成して発行するように、画像制御装置１１０またはこれが接続されている他のサーバコンピュータに実装されているアプリケーションソフトウェアを構成しておくことができる。この場合、例えば前記注文操作をトリガーとして生成した注文データを仮注文待ち行列に格納すると同時に注文ＩＤ（二次元バーコードなどを利用して印字することも可能）を印刷した予約票を発券することができる。
【００３３】
またさらに、注文管理システムが空席情報を保持していれば、その情報を、画像制御装置１１０を介して表示させることができる。空席情報は、例えばホール従業員が利用客を席に案内したときに端末機器から該当テーブルＩＤを入力することにより管理することができる。そのテーブルＩＤの状態によって、例えば「ただいま４人テーブルと２人テーブルに空きがあります」といったメッセージを表示させることができる。
【００３４】
上記の操作処理は本実施形態における一例であり、表示する画像、画像の表示方法や操作の処理手順は所望のシステム条件に応じて画像制御装置１１０に実装する制御ソフトウェアにより種々実現することができる。また、表示する画像データは、画像制御装置１１０内のハードディスク等適宜の記憶媒体に格納しておくことができ、装置１１０にＳＤカード等の外部記憶媒体とのインターフェイスを装備しておけば、それらの外部記憶媒体を介して表示する広告画像データや制御ソフトウェアプログラムの更新を実行することができる。
【００３５】
さらに、画像制御装置１１０を、インターネット等の通信ネットワークを介して広告代理店のサーバコンピュータやチェーン店のサーバコンピュータといった他の情報制御装置と接続してデータ授受可能に構成することにより、オンラインで各店舗別にカスタマイズされた表示広告画像のデータを配信したり、他のチェーン店との間で表示広告画像を共有したりすることができる。
【００３６】
また本画像表示システムを店舗内の間仕切り部に設ければ、利用客の所望するエンターテインメント画像等を投影することでサービス向上に資することができる。
【図面の簡単な説明】
【００３７】
【図１】本発明の第１実施形態に係るインタラクティブ画像表示システムの全体構成図で店舗の縦断面で見た図である。
【図２】本発明の第１実施形態に係るインタラクティブ画像表示システムの全体構成図で店舗の外側から見た図ある。
【図３】本発明の第１実施形態に係るインタラクティブ画像表示システムの表示装置及び入力装置を示す図である。
【図４】本発明の第１実施形態に係るインタラクティブ画像表示システムの入力装置を示す図である。
【図５】本発明の第１実施形態に係るインタラクティブ画像表示システムの収納箱の第１の変形例を示す図である。
【図６】本発明の第１実施形態に係るインタラクティブ画像表示システムの収納箱の第２の変形例を示す図である。
【図７】本発明の第１実施形態に係るインタラクティブ画像表示システムの初期表示画面を例示する図である。
【図８】本発明の第２実施形態に係るインタラクティブ画像表示システムの全体構成図で店舗の縦断面で見た図である。
【図９】本発明の第２実施形態に係るインタラクティブ画像表示システムの全体構成図で店舗の外側から見た図ある。
【図１０】本発明の第２実施形態に係るインタラクティブ画像表示システムの表示装置及び入力装置を示す図である。
【図１１】本発明の第２実施形態に係るインタラクティブ画像表示システムの初期表示画面を例示する図である。
【符号の説明】
【００３８】
１００    インタラクティブ画像表示システム
１１０    画像制御装置
１２０    ビデオプロジェクタ（画像投影装置）
１３０    表示装置（表示手段）
１３２    表示面
１３４    ガラス材
１４０    入力装置（入力手段）
１４２    操作ペン
１４４    センサ部
１５０    プリンタ（印刷手段）
１６０    収納箱
Ｓ        店舗
Ｗ        仕切部材
【図１】
2008224894.tif 000003
【図２】
2008224894.tif 000004
【図３】
2008224894.tif 000005
【図４】
2008224894.tif 000006
【図５】
2008224894.tif 000007
【図６】
2008224894.tif 000008
【図７】
2008224894.tif 000009
【図８】
2008224894.tif 000010
【図９】
2008224894.tif 000011
【図１０】
2008224894.tif 000012
【図１１】
2008224894.tif 000013